(57)【特許請求の範囲】
【請求項１】
紙様のフレキシブルな表示媒体である電子ペーパと、この電子ペーパの表示部に信号授受手段よりの表示用データを記録する表示発光制御手段を備えた本体とからなる電子ペーパファイルにおいて、
上記電子ペーパと本体とを着脱可能とし、
物理的な接続機能と電気的な接続機能とを兼ねた雄雌一対の接続端子の一方を上記電子ペーパの表示部の一方端に備えるとともに、この接続端子の他方を上記本体側に備えることによって、上記電子ペーパと本体とを着脱可能とし、
上記他方の接続端子における上記電子ペーパの着脱状況を検知する着脱検知手段と、
上記着脱検知手段が検知した着脱状況に基づいて上記表示用データの表示処理を行う表示発光制御手段を備え、
上記着脱検知手段が、上記電子ペーパの装着を検知すると当該電子ペーパが装着された上記他方の接続端子の配列位置に基づいた接続端子番号を記憶手段から取得し、
上記表示発光制御手段が、上記着脱検知手段が取得した上記接続端子番号に基づいて上記表示処理を行う電子ペーパファイル。
【発明の詳細な説明】
【０００１】
【発明の属する技術分野】
本発明は、紙様のフレキシブルな表示媒体である電子ペーパを本様にした電子ペーパファイルに関するものである。
【０００２】
【従来技術】
情報化社会の発展に伴い、ＣＲＴ（Cathode Ray Tube）やＬＣＤ（liquid crystal display）等の表示媒体の性能も急速に向上している。しかしながら、これら表示媒体は、読みやすさ・使いやすさの点でいえば、古くから情報媒体として使用されている“紙”に優るものとはなっていない。そこで、紙様のフレキシブルな表示媒体として“電子ペーパ”という新しい概念が提案されるようになり、この電子ペーパの実現技術として様々な方式が検討されてきた（日本画像学会発行「Japan Hardcopy '99  論文集」P209〜P251参照）。
【０００３】
更に、近年では、複数の電子ペーパを本様にした電子ペーパファイルも提案されている（特表平１１−５０２９５０号公報等）。このような電子ペーパファイルによれば、多数の電子ペーパを管理するのが容易になるだけでなく、電子ペーパを更に読みやすく使いやすい表示媒体として活用することができる。
【０００４】
【発明が解決しようとする課題】
ところで、ルーズリーフ式の紙製の本には、所望のページ（所望の紙）のみを取り外して持ち運べるという利点がある。
【０００５】
しかしながら、上記従来の電子ペーパファイルでは、電子ペーパと本体とが一体となっているため、所望の電子ペーパのみを取り外して持ち運ぶことができない。
【０００６】
本発明は上記従来の事情に基づいて提案されたものであって、電子ペーパと本体とを着脱可能とした電子ペーパファイルを提供することを目的とするものである。
【０００７】
【課題を解決するための手段】
本発明は上記目的を達成するために以下の手段を採用している。すなわち、本発明は、図１及び図２に示すように、紙様のフレキシブルな表示媒体である電子ペーパ１０と、この電子ペーパ１０の表示部１１に信号授受手段よりの表示用データを記録する表示発光制御手段２２を備えた本体２０とからなる電子ペーパファイルを前提としている。
【０００８】
そして、物理的な接続機能と電気的な接続機能とを兼ねた雄雌一対の接続端子の一方を上記電子ペーパ１０の表示部１１の一方端に備えるとともに、この接続端子の他方を上記本体２０側に備えることによって、電子ペーパ１０と本体２０とを着脱可能としている。このとき、電子ペーパ１０側の接続端子１３ａを雌型とし、本体２０側の接続端子２１ａを雄型としておけば、本体２０から取り外した電子ペーパ１０を持ち運ぶ際にも、この電子ペーパ１０の接続端子１３ａを破損や錆びつきから防止できる。
【０００９】
また、上記本体側の接続端子２１ａを上記本体２０に配設する構成としては、上記本体２０上の配列位置を固定した場合と、上記本体２０に対して回転自在に接続された可動軸片に備えられる場合とがある。
【００１０】
ここで、上記電子ペーパ１０が装着されていない本体側の接続端子２１ａに対して表示処理を行うことで生じる、表示用データの表示漏れを防止するために、本体側の接続端子２１ａにおける電子ペーパ１０の着脱状況を検知する着脱検知手段と該着脱状況に基づいて、表示処理を行う表示発光制御手段を設ける。即ち、電子ペーパが装着されている接続端子において表示処理を行うようにすることである。
【００１１】
更に、電子ペーパファイルのページ順に、表示用データが電子ペーパファイルに表示されるようにするために以下の構成がある。上記本体側の接続端子２１ａの配列位置が本体２０に固定されている場合は、接続端子２１ａの配列位置に基づいた接続端子番号を記憶する記憶手段１９を本体２０に設け、当該接続端子番号と上記着脱状況に基づいて、上記表示制御発光手段が表示処理を行うようにする。また、上記本体側の接続端子２１ａが上記可動軸片に備えられた構成では、位置検知手段が検知した、各接続端子２１ａの回転位置と上記着脱状況に基づいて、上記表示制御発光手段が表示処理を行うようにする。
【００１２】
上記のように、電子ペーパ側の接続端子１３と上記本体側の接続端子２１ａとが雌雄一対の構成である場合、各本体側の接続端子２１が配設される位置が異なると、各接続端子２１に電子ペーパ１０を装着するためには、各接続端子２１の位置と対応した電子ペーパ側の接続端子１３が備えられた電子ペーパ１０を用意しなければならない。そこで、下記のような構成とすることで、上記本体側の接続端子２１ａの位置に関係なく、上記本体側の接続端子２１ａと電子ペーパ側の接続端子１３ａとが接続可能となる。即ち、電子ペーパ１０の端部に平行に複数配設された平行リード設け、一方本体側の接続端子２１ａに電子ペーパ１０を裏表両面から挟み込む挟み板と、当該挟み板の内面に上記各平行リードと先端部が当接するとともに当該電子ペーパ側リ−ドに対応した数の導出リードよりなる上記本体側の接続端子を設けるようにする。
【００１３】
また、上記電子ペーパ１０の表示部１１は、図３に示すように、パターン表示が可能な不揮発性メモリを配置した表示シートＡを備えている。このようにすれば、表示用データは不揮発性メモリに記録されるため、本体２０から取り外された電子ペーパ１０は、その表示内容を保持することになる。
更に、この表示シートＡを照明するための発光シートＢを上記電子ペーパ１０の表示部１１に備えた構成とすれば、暗い場所であっても電子ペーパ１０の表示内容を確認できる。
【００１４】
なお、電子ペーパファイルの本体２０側に、表示シートＡの所定領域のみを照明するよう発光シートＢを制御する表示発光制御手段２２を備えるようにしてもよい。このようにすれば、例えばタイトル領域など、強調したい領域のみを照明することが可能である。また、この表示発光制御手段２２が発光シートＢの輝度をも制御するようにしておけば、照明する領域が可変となる。
【００１５】
尚、表示発光制御手段２２は、電子ペ−パファイルの電源が投入されたとき、または、本体に物理的なスイッチを設け、ユーザが当該スイッチを押下したときに、上記発光シ−トＢを発光させるようにしてもよい。
【００１６】
また、上記表示発光制御手段２２は表示用データを記録する表示制御手段２２ａと表示シートＡの所定領域のみを照明するよう発光シートＢを制御する発光制御手段２２ｂとから構成されても構わない。この発光制御手段２２ｂは、電子ペーパファイルの電源が投入されとき、又は、または、本体に物理的なスイッチを設け、ユーザが当該スイッチを押下したときに、上記発光シ−トＢを発光させるようにしてもよい。
【００１７】
【発明の実施の形態】
以下に本発明の実施の形態を図面に従って詳細に説明する。
【００１８】
図２・図３に示すように、本発明を適用した電子ペーパ１０は、データ表示領域である表示部１１と、この表示部１１を駆動するための領域（データ非表示領域）である表示駆動部１２とからなり、更に、上記表示部１１は、不揮発性メモリを配置した表示シートＡと、この表示シートＡを照明するための発光シートＢとからなる。
【００１９】
すなわち、図４に示すように、まず、上側のベースフィルムＡ2 上に列電極Ａ3 を形成するとともに、下側のベースフィルムＡ6 上に行電極Ａ5 を形成し、この行電極Ａ5 の上に強誘電性高分子液晶Ａ4 を一定の厚みで塗布する。次いで、この列電極Ａ3 と行電極Ａ5 とが相互に向き合い且つマトリクス状となるように貼り合わせ、更に、上記強誘電性高分子液晶Ａ4 の分子を所定の配向とした後、偏光板Ａ1 ・Ａ7 で両側から挟んで貼り合わせる。これによって、例えば図８に示すように、Ｃｍａｘ列Ｒｍａｘ行のマトリクスで形成された画素からなる表示シートＡが生成される。
【００２０】
これに対し、上記発光シートＢは、その全面が一様に発光すればよいため、上側のベースフィルムＢ1 上に共通電極（陽極）Ｂ2 を形成するとともに、下側のベースフィルムＢ6 上に共通電極（陰極）Ｂ5 を形成し、この共通電極Ｂ5 の上に、絶縁層Ｂ3 を用いて所定のパターンで有機エレクトロルミネセンスＢ4 を形成（真空蒸着方法で行う）した後、この共通電極Ｂ2 と共通電極Ｂ5 とが相互に向き合うように貼り合わせて生成する。
【００２１】
最後に、発光シートＢが表示シートＡを照明するよう、上記のように生成した発光シートＢを表示シートＡの下側に貼り合わせる。
【００２２】
ここで、画素の白黒表示は、以下に説明するシャッター機能を利用したマトリクス制御によって行う。すなわち、表示シートＡの行電極Ａ5 ・列電極Ａ3 間に所定電圧を印加すると、光を透過しない方向に強誘電性高分子液晶Ａ4 の分子の配向が変化し（シャッターがＯＮとなり）、この行電極Ａ5 及び列電極Ａ3 によって特定される画素が黒く表示される。一方、上記所定電圧（以下「正電圧」という）の逆電圧を印加した場合は、光を透過する方向に強誘電性高分子液晶Ａ4 の分子の配向が変化し（シャッターがＯＦＦとなり）、この画素は白く表示される。
【００２３】
なお、強誘電性高分子液晶Ａ4 は、電圧を印加するのをやめても状態を保持する性質をもつため、本体２０から取り外された電子ペーパ１０は、その表示内容を保持することになる。
【００２４】
一方、発光シートＢの共通電極Ｂ2 ・Ｂ5 間に電圧を印加すると、有機エレクトロルミネセンスＢ4 の全面が発光して表示シートＡを照明する。すなわち、有機エレクトロルミネセンスＢ4 が発光すると、この光を透過する白画素（シャッターがＯＦＦとなっている画素）が点灯するようになっている。
【００２５】
なお、上記したように有機エレクトロルミネセンスＢ4 は所定のパターンで形成するようにしているため、発光シートＢの共通電極Ｂ2 ・Ｂ5 をマトリクス状の個別電極（すなわち行電極及び列電極）とし、この個別電極毎に印加する電圧を変えれば、例えばタイトル領域など、強調したい領域のみを照明することが可能となる。
【００２６】
また、発光シートＢをモノカラーで発光させる場合は全面一様に単色の光源を配置しておけばよいが、フルカラーで発光させる場合はマトリクス状にＲＧＢ（Red Green Blue）の光源を配置しておく。フルカラーであっても全面一様に発光させる場合は、上記のように個別電極とするまでもなく共通電極Ｂ2 ・Ｂ5 であってもかまわない。
【００２７】
更に、表示シートＡのベースフィルムＡ2 或いはＡ6 、又は、発光シートＢのベースフィルムＢ1 の表面のいずれかは、粗く形成しておくのが好ましい。このようにすれば、図１０に示すように、有機エレクトロルミネセンスＢ4 の発光した光は粗面Ｓによって散乱し、目に優しい表示となる。
【００２８】
ところで、上記のように表示シートＡや発光シートＢに電圧を印加するためには、これらシート上の行配線Ｌ1 及び列配線Ｌ2 （後述する）を、本体２０側に備えた図示しない電源と接続しておく必要がある。しかしながら、ルーズリーフ式の紙製の本から所望のページのみを取り外すのと同様の感覚で本体２０から所望の電子ペーパ１０のみを取り外したい場合もあり、これに対応するためには、電子ペーパ１０と本体２０とを物理的・電気的に着脱可能とする機構を備えていなければならない。
【００２９】
そこで、本発明では、雌型の接続端子１３ａを電子ペーパ１０の表示部１１の一方端に備えるとともに、雄型の接続端子２１ａを本体２０側に備える構成を採用している。このように、電子ペーパ１０側の接続端子１３ａを雌型とし、本体２０側の接続端子２１ａを雄型としたのは、本体２０から取り外した電子ペーパ１０を持ち運ぶ際に、この電子ペーパ１０の接続端子１３ａを破損や錆びつきから防止するためである。
【００３０】
また、上記のようなＣｍａｘ列Ｒｍａｘ行のマトリクスで形成された画素を制御する場合、“Ｃｍａｘ＋Ｒｍａｘ”の数のピンを備えた接続端子１３ａ（“Ｃｍａｘ＋Ｒｍａｘ”の数のピン受けを備えた接続端子２１ａ）が必要である。しかしながら、多数のピンを備えた接続端子１３ａは破損しやすいという欠点があるだけでなく、電子ペーパファイルの薄型化・軽量化の観点からも好ましくない。
【００３１】
そこで、本発明では、通常のＬＣＤで使用される表示用ドライバ１２ａを電子ペーパ１０側の接続端子１３ａと表示部１１との間（すなわち表示駆動部１２）に積載し、この接続端子１３ａのピン数を減じるようにしている（後述する）。
【００３２】
なお、電子ペーパ１０と本体２０との着脱が容易にできるよう、図３に示すように、表示駆動部１２の厚みは表示部１１の厚みより大きくし、また、表示駆動部１２に使用する部材には、そのヤング率が表示部１１のヤング率より大きい部材を用いるのが好ましい。更に、表示駆動部１２の幅を表示部１１の幅より広くしておけば、図５に示すように、矢印“１”の方向から表示駆動部１２を指で押す等の容易な方法で、確実に、電子ペーパ１０を本体２０に取り付けることができる。
【００３３】
ここで、上記した表示制御すなわち画素を白黒表示する制御や、発光制御すなわち表示シートＡを照明する制御は、本体２０の背板２４内に備えた表示発光制御回路（表示発光制御手段: 図６に示すように表示制御手段２２ａと発光制御手段２２ｂよりなるが、この２つの手段は１体であっても別体であってもよい）２２で行うようにしており、以下、この表示発光制御手段２２（もしくは発光制御手段２２ｂ）が行う表示制御について説明する。尚、この表示発光制御手段２２または、上記発光制御手段２２ｂは、電子ペーパファイルの電源が投入されたとき、又は、本体に設けられた物理的なボタンをユーザが押下したときに上記発光シートＢを発光させるようにしてもよい。
【００３４】
すなわち、Ｃｍａｘ列Ｒｍａｘ行のマトリクスで形成された画素からなる表示シートＡ（図９参照）に、後述する信号授受手段から受けた２値のシリアルデータを表示する場合、表示発光制御手段２２は、まず初期設定として、列カウンタ（Ｃ）に“０”を設定するとともに行カウンタ（Ｒ）に“１”を設定する（図１０、ステップＳ１）。
【００３５】
次いで、表示発光制御手段２２は、信号授受手段から得られる１ビット分のデータが終了データ（例えば“ＥＯＦ”）であるか否かを判断し、終了データであると判断した場合は表示処理を終了する（図９、ステップＳ２→Ｓ３→Ｓ５→Ｓ６）。また、信号授受手段から１ビット分のデータが得られない場合も、表示発光制御手段２２は、シリアルデータがないものとして表示処理を終了する（図９、ステップＳ３→Ｓ４）。
【００３６】
一方、上記１ビット分のデータが終了データでないと判断した場合の表示発光制御手段２２は、列カウンタ（Ｃ）に“１”を加算した後、この列カウンタ（Ｃ）が最大列数Ｃｍａｘより小さいか否かを判断する（図９、ステップＳ７→Ｓ８）。そして、最大列数Ｃｍａｘより小さいと判断した場合は、現在の行カウンタ（Ｒ）及び列カウンタ（Ｃ）によって特定される画素についての表示処理を上記１ビット分のデータの内容に基づいて行う（図９、ステップＳ８：Ｙｅｓ→ステップＳ９）。
【００３７】
例えば、現在の行カウンタ（Ｒ）及び列カウンタ（Ｃ）が共に“１”であり、上記１ビット分のデータが“０”である場合、表示発光制御手段２２は、アドレスデータ〔１，１〕と正電圧を印加する旨を示すＯＮとからなる表示処理データを例えば８ビットなど所定ビットのデータとして表示用ドライバ１２ａに渡し、これを受けた表示用ドライバ１２ａは、上記表示処理データをデコードし、アドレスデータ〔１，１〕に対応する行配線Ｌ1 ・列配線Ｌ2 に正電圧を印加する。この行配線Ｌ1 は、行電極Ａ5 と該行電極Ａ5 から表示用ドライバ１２ａまでの配線とからなり、列配線Ｌ2 は、列電極Ａ3 と該列電極Ａ3 から表示用ドライバ１２ａまでの配線とからなるため、上記のように正電圧を印加すると、アドレスデータ〔１，１〕によって特定される画素（以下「画素〔１，１〕」という）が黒く表示されることになる。
【００３８】
一方、上記１ビット分のデータが“１”である場合、表示発光制御手段２２は逆電圧を印加する旨を示すＯＦＦを表示処理データに設定し、表示用ドライバ１２ａはアドレスデータ〔１，１〕に対応する行配線Ｌ1 ・列配線Ｌ2 に逆電圧を印加する。これによって、画素〔１，１〕が白く表示されることになる。
【００３９】
なお、現在の表示シートＡに表示されている内容を意識しない場合、表示処理データに設定する情報としてはＯＮ・ＯＦＦだけを考えればよい。しかしながら、表示シートＡに追加事項を書き込む、或いは、既に書き込まれた内容を訂正する等の処理をディジタイザ等を使用して行う場合、アクセスする必要のない画素（すなわち、正電圧も逆電圧も印加する必要のない画素）が生じる。そこで、このような場合は、上記アクセスする必要のない画素の表示処理データにはＮＯＮを設定し、表示用ドライバ１２ａが動作しないようにしておく。
【００４０】
以上の処理を繰り返し、１行目の画素〔１，２〕〔１，３〕・・・〔１，Ｃｍａｘ〕についての表示処理を終了したら（すなわち、列カウンタ（Ｃ）がＣｍａｘを越えたら）、表示発光制御手段２２は行カウンタ（Ｒ）に“１”を加算する（図９、ステップＳ８：Ｎｏ→ステップＳ１０）。なお、これら１行目の画素〔１，２〕〔１，３〕・・・〔１，Ｃｍａｘ〕の表示処理データは、上記画素〔１，１〕の表示処理データに続いてシリアルに表示用ドライバ１２ａへ渡される。
【００４１】
そして、表示発光制御手段２２は、上記のように加算した行カウンタ（Ｒ）が最大行数Ｒｍａｘ以下であるうちは、この行カウンタ（Ｒ）によって特定される行の画素についての表示処理を行い（図９、ステップＳ１１：Ｙｅｓ→Ｓ１３→Ｓ１５→Ｓ２）、行カウンタ（Ｒ）が最大行数Ｒｍａｘを越えたら改ページを行う（図９、ステップＳ１１：Ｎｏ→Ｓ１２）。なお、改ページを行った場合は、列カウンタ（Ｃ）及び行カウンタ（Ｒ）を初期化しておく（図９、ステップＳ１４）。
【００４２】
このような表示制御によれば、１ページ内に収まらない多量の表示用データを信号授受手段から受けた場合であっても、不具合なく表示処理を行うことができる。
【００４３】
なお、ここでは、信号授受手段から受けた表示用データが２値のドットデータであることを前提にしているが、ＡＳＣＩＩ形式やＢｉｎａｒｙ形式など他の形式である場合は、表示発光制御手段２２が２値のドットデータに変換するようにしている。この信号授受手段は表示用データを受け取るための手段であり、具体的には、フラッシュカード・スマートメディア等の信号格納媒体のコネクタや、シリアルポート・パラレルポート・ＲＳ−２３２Ｃ等のコネクタなどをいう。
【００４４】
また、上記の説明では、不揮発性メモリとして強誘電性高分子液晶Ａ4 を使用することとしているが、この不揮発性メモリは、電気泳動型マイクロカプセルや導電性トナー等であってもかまわない。
【００４５】
更に、本体２０は、上記した各種制御を可能とする構造であればよく、図１に示す構造に限定されるものではない。
【００４６】
また、複数の電子ペーパ１０に対応する接続端子２１ａ及び２１ｂを横一列に配置する構造を例示しているが、これら接続端子２１ａ及び２１ｂは、図７（Ａ）に示すように、縦方向にオーバラップさせてもかまわない。このようなオーバラッブ構造によれば、より多くの電子ペーパ１０を備えることが可能となる。なお、この場合は、図７（Ｂ）に示すように、電子ペーパ１０側の接続端子１３ａ及び１３ｂも縦方向にオーバラップした構造とすることはいうまでもない。
【００４７】
ところで、本発明にかかる電子ペーパ１０は、本体２０から取り外すことが可能である。そこで、表示処理データの表示漏れを防止するために、電子ペーパ１０が装着されている接続端子２１にのみ表示処理データを転送するように、以下に説明する着脱検知手段３０を上記本体２０に設けるようにしてもよい。
【００４８】
ここで図１１において、本体側の接続端子２１は当該本体位置が固定された状態で配列されており、記憶手段１９には上記本体側の各接続端子２１の番号（以下接続子番号という）が配列順序に基づいて記憶されている。この状態で、上記着脱検知手段３０は、電子ペーパ１０が装着されている接続端子２１を検知し（後述する）、このように検知した接続端子２１の接続端子番号を記憶手段１９から取得し、上記表示発光制御手段２２に通知する。尚、ここでいう接続端子番号とは、図１６に示す電子ペーパファイルの表紙３１に最も近い位置にある接続端子２１を”１”とし、以下表紙３１から離れるに従って大きくなる番号であり、記憶手段１９は本体２０に備えられているものとする。これによって、上記表示発光制御手段２２は、上記通知された接続端子番号に基づいて表示処理データを転送することで、電子ペーパが接続されていない接続端子に対する表示処理データの送信、即ち、表示漏れを防止するようにしている。
【００４９】
ここで、電子ペーパ１０が装着されている接続端子２１を上記着脱検知手段３０が検知する構成の例として、下記のような構成がある。
【００５０】
例えば、図１２に示すように、上記本体２０に上記着脱検知手段３０を設け、該着脱検知手段３０から２つの“１”信号を各接続端子２１に出力する。このとき電子ペーパ１０が接続端子２１に装着されていると、当該２つの“１”信号は、電子ペーパ側にある接続端子１３を介して、電子ペーパの表示駆動部１２にあるアンドゲート３３に入力される。これによって、該アンドゲート３３がから“１”信号を上記接続端子１３と上記接続端子２１とを介して上記着脱検知手段３０に返すようにする。この結果、該着脱検知手段３０は、電気信号の出力先の接続端子２１に電子ペーパ１０が接続されていることを検知する。
【００５１】
また、図１３に示すように本体２０の背板２４の内面に押しボタン３４を設けた構成でもよい。即ち、所定の接続端子２１に電子ペーパ１０が装着されると同時に、当該電子ペーパ１０によって押しボタン３４が押下されるようにし、該押下により、上記着脱検知手段３０は所定の接続端子２１に電子ペーパ１０が装着されていることを検知する。
【００５２】
同じく、図１４に示すように、接続端子２１の突出方向に光を発するフォトカプラ３５を本体２０に設け、当該光の反射光量をもとに、上記着脱検知手段３０が電子ペーパ１０の脱着を検知する構成でもよい。即ち、接続端子２１に電子ペーパ１０が装着されていると、該フォトカプラ３５から発せられた光は、電子ペーパ１０にて反射する。従って、上記着脱検知手段３０は、当該フォトカプラ３５が一定の反射光量を受け取ったことを認識すると、当該接続端子２１に電子ペーパ１０が装着されていることを検知する。
【００５３】
以上では、本体側の接続端子２１は上記背板２４に直接配列され、その平面位置はもちろん回転位置にも固定されている構造について述べたが、接続端子が回転できるようにするとページめくり等で扱いがより便利になる。
【００５４】
図１５において、所定の長さの円筒形の可動軸片５０の上下端部に、他の可動軸片５０の上下端部と相互に回転自在に接続可能な差込部５０ａ，５０ｂを設ける。この可動軸片５０の内周面には、図１６（ｂ）に示すように、周方向に次第に幅が広くなる反射部５３が描かれており、更に、可動軸片５０の外周の軸方向に、本体側の接続端子２１が配設されている。このように、構成された可動軸片５０を相互につなぎ合わせて接続体５２が形成される。
【００５５】
一方、図１７に示すように、フォトカプラ５４は上記各可動軸片５０内に上記反射部５３と対応した位置で素子固定軸５５に固定されている。この素子固定軸５５は上記接続体５２に挿入され、軸端片５６に固定されている。この軸端片５６には、更に、上記接続体５２の上下端が回転自在に固定され、また、当該軸端片５６は上記背板２４の内面に固定するようになっている。当該軸端片５６を背板２４の内面に固定する手段また、素子固定軸５５の両端を軸端片５６の両端に固定する手段も種々考えられるが、ここでは、本願発明の本質ではないので省略する。
【００５６】
上記のように接続体５２が背板２４に取り付けられた状態で、各フォトカプラ５４は、同じ方向に光を出射するとともに、各可動片５０に取り付けられた接続端子２１の向きを揃えたとき、各接続端子の内面に描かれた反射部５３も内周に沿った軸方向に同じ幅を示すことになる。
【００５７】
これによって、フォトカプラ５４は、上記各可動軸片５０の回転角、即ち各電子ペーパ１０の回転角に対応する信号を出力することになる。
【００５８】
上記においては各可動軸片が相互に直接接続される構成について説明したが、図１８に示すように各可動片５０の間に中間固定片５７を介在させると更に安定して接続体５２を背板２４に取り付けることができる。即ち、中間固定片５７に対して、各可動片部の差込部５０ａ，５０ｂを回転自在に差し込んで各可動片５０をつなぎ合わせて接続体５２を構成するとともに、このように構成された接続体５２の両端を上記と同様に上記軸端片５６で背板２４に固定するようにし、更に、上記中間固定片５７でも背板２４に固定するようになっている。この構成において、上記素子固定軸５５は、上記の例と同様両端の軸端片５６間で固定してもよいし、また、図１９に示すように、各中間固定片５７（あるいは軸端片５６）からフォトカプラ５４を取り付ける素子固定軸５５を各可動片５０の内部に突出させるように構成してもよい。
【００５９】
また、上記フォトカプラ５４に代えて、図２０に示すように、バリアブル抵抗７０を使用することでもよい。即ち、上記素子固定軸５５に上記可動軸片５０の回転を妨げないようにドーナツ上のバリアブル抵抗７０を固定し、各可動軸片５０の内面に、上記ドーナツ上のバリアブル抵抗７０に接する可動端子７１を備えるようにする。この場合は、もちろん上記接続端子２１を同じ方向に向けた時に各バリアブル抵抗７０は同じ値を出力するようになっており、これによって各電子ペーパの回転角が得られることになる。
【００６０】
尚、上記可動軸片５０が透明な材質で作られている場合は、上記反射部５３を上記可動軸片５０の外周面に描いてもよい。
【００６１】
図１６（ａ）、図２０に示すように、フォトカプラ５４又は上記バリアブル抵抗７０を使用することで得た本体側の各接続端子２１の回転角を、本体２０にある位置検知手段３６は上記着脱検知手段３０に通知する。該着脱検知手段３０は、電子ペーパ１０が装着されている接続端子２１を検知し、上記通知に基づいて該検知された接続端子２１に接続端子番号を付与する。ここでいう接続端子番号とは、例えば、電子ペーパファイルの表紙３１に最も近い位置にある接続端子を”１”とし、以下表紙３１から離れるに従って大きくなる番号である。
【００６２】
続いて、上記着脱検知手段３０は、接続端子番号を上記表示発光制御手段２２に通知し、この通知を受けた上記表示発光制御手段２２は、該接続端子番号順に上述した表示処理を行うようになっており、これによって、表示処理データがページ順に表示されるようになる。
【００６３】
ところで、以上で述べた、電子ペーパ１０側の接続端子１３は、電子ペーパ１０の所定の位置で固定されており、即ち、電子ペーパ１０は、当該接続端子１３と対応した位置にある本体側の接続端子２１にのみ接続することが可能である。即ち、図２１（ａ）、（ｂ）に示すように、複数の接続端子２１が本体２０の縦方向に対してそれぞれ異なる位置に設けられている場合は、本体側の各接続端子２１に接続可能な位置に接続端子１３を持つ電子ペーパ１０を用意しなければならないという不具合があった。そこで、接続端子２１の位置に関係なく、電子ペーパ１０を装着可能とするために、下記の構成を採用してもよい。
【００６４】
例えば、図２２に示すように、電子ペーパ１０の側の端部に、表示処理データを転送するための必要な数のリ−ド４０を、縦方向に平行に配設しておく。
【００６５】
一方、図２３に示すように、上記可動軸片５０から当該可動軸片５０の径方向に電子ペーパ１０を厚み方向に弾性で挟み込む２枚の挟み板４１を突設し、当該挟み板４１の内面に上記電子ペーパ１０に設けたリ−ド４０のそれぞれと先端が当接する導出リード４２を設けて本体内の導出リード４２に導くように構成する。ここで、各接続端子２１を構成する導出リード４２の数は、上記電子ペーパ側のリ−ド４０の数と同じであり、当該導出リード４２は先端のみで上記リ−ド４０と電気的に接続可能な接点４３を持っている。この本体側の接続端子２１にある挟み板４１で電子ペーパ側の接続端子１３を両側から挟み込むように差し込むことで、各リ−ド４０ａ，ｂ，ｃ，ｄと各接点４３ａ，ｂ，ｃ，ｄとが接するようなになっている。これによって、上記表示発光制御手段２２が転送した表示処理データは、該接点４３ａ，ｂ，ｃを介して、所定の接続端子１３に表示処理データが流れるようになる。
【００６６】
また、上記のように、上記着脱検知手段３０が通知した接続端子番号に基づいて、上記表示発光制御手段２２が、上記表示処理を行うと、電子ペーパ１０が装着されている接続端子の接続端子番号が当該電子ペーパ１０に表示されるようにしてもよい。このように接続端子番号を電子ペーパ１０に表示すれば、当該電子ペーパ１０を本体２０から取り外した後でも、ユーザは、当該接続端子番号を見ることで、電子ペーパ１０に表示されている表示処理データの順番が容易に分かるようになる。
【００６７】
また、本体２０に備えられた記憶手段１９に表示処理データが記憶されている場合は、下記のようなことを実施することが可能となる。
【００６８】
例えば、所定の接続端子２１に装着されていた電子ペーパ１０を取り外し、異なる接続端子２１に当該電子ペーパ１０を装着すると、表示処理データがページ順に表示されない場合が発生する。
【００６９】
そこで、上記着脱検知手段３０が、電子ペーパ１０の着脱を常に感知するように設定しておく。即ち、当該着脱検知手段３０は、電子ペーパ１０が接続端子２１に装着または、接続端子２１から取り外されることを検知すると、上記のように電子ペーパ１０が装着されている接続端子２１の接続端子番号を上記表示発光制御手段２２に通知する。また、本体２０に上記位置検知手段３６が備えられている場合、当該位置検知手段３６は、上記着脱検知手段３０と連動して上記のように接続端子番号を接続端子２１に付与し、当該接続端子番号を上記表示発光制御手段２２に通知する。
【００７０】
これによって、上記通知を受けた上記表示発光制御手段２２は、上記記憶手段１９から表示処理データを読み出し、通知された接続端子番号に基づいて上記表示処理を行う。
【００７１】
また、電子ペーパ１０に記憶手段があり、当該記憶手段に、表示処理データが記憶されている場合は、上記表示発光制御手段２２は表示処理データを当該記憶手段から取得して、上記のように表示処理を行うようにしてもよい。尚、本体２０に、図示しない所定のボタンを設けて、ユーザが当該ボタンを押下することで、上記着脱検知手段３０または上記位置検知手段３６が作動するようにしてもよい。更に、電子ペーパファイルの電源投入時や、電子ペーパの表示を一旦クリアにしたときに、上記着脱検知手段３０または上記位置検知手段３６が自動的に作動するようにしてもよい。
【００７２】
尚、上記表示用データには発光制御データが含まれており，上記表示発光制御手段２２もしくは発光制御手段２２ｂはこの発光制御データに基づいて発光制御を行うことになる。
【００７３】
【発明の効果】
以上のように、本発明では、本体にある記憶手段に接続端子番号を記憶させることで、表示処理データの表示漏れを防止するとともに、電子ペーパファイルにおけるページ順に表示処理データが表示されることになる。
【図面の簡単な説明】
【図１】  本発明を適用した電子ペーパファイルの外観図である。
【図２】  本発明を適用した電子ペーパの外観図である。
【図３】  本発明を適用した電子ペーパの構成図である。
【図４】  表示シート及び発光シートの構成例である。
【図５】  本発明を適用した電子ペーパの他の形態を示す図である。
【図６】  電子ペーパファイルの表示発光制御手段を示した図である。
【図７】  オーバラップ構造を採用した電子ペーパファイルの外観図である。
【図８】  マトリクスの説明図である。
【図９】  本発明における表示処理を示すフローチャートである。
【図１０】  粗面の説明図である。
【図１１】  本体側の接続端子における電子ペーパの着脱状態を検知する方法を示す図である。
【図１２】  本体側の接続端子における電子ペーパの着脱状態を検知する方法を示す図である。
【図１３】  本体側の接続端子における電子ペーパの着脱状態を検知する方法を示す図である。
【図１４】  本体側の接続端子における電子ペーパの着脱状態を検知する方法を示す図である。
【図１５】  回転型構造を採用した本体外観図である。
【図１６】  本体の接続端子の位置を検出する方法を示した図である。
【図１７】  接続体内にフォトカプラを配設したことを示す図である。
【図１８】  中間固定片を用いたことを示す図である。
【図１９】  中間固定片に素子固定軸を配設した図である。
【図２０】  本体の接続端子の位置を検出する方法を示した図である。
【図２１】  本体側の接続端子が縦方向に対して異なる位置に設けられたことを示す図である。
【図２２】  電子ペーパ側の接続端子の形状を示す図である。
【図２３】  本体側の接続端子の接続端子の形状を示す図である。
【符号の説明】
１０        電子ペーパ
１１        表示部
１２        表示駆動部
１２ａ      表示用ドライバ
１３ａ〜ｃ  電子ペーパ側の接続端子（雌型）
１９        記憶手段
２０        本体
２１ａ〜ｃ  本体側の接続端子（雄型）
２２        表示発光制御回路（表示発光制御手段）
２２ａ      表示制御手段
２２ｂ      発光制御手段
３０        着脱検知手段
３６        位置検知手段
４０ａ，ｂ，ｃ，ｄ  リ−ド
４１        挟み板
４２        導出リード
４３ａ，ｂ，ｃ，ｄ  接点
５０        可動軸片
５２        接続体
Ａ        表示シート
Ａ4       強誘電性高分子液晶
Ｂ        発光シート
Ｂ4       有機エレクトロルミネセンス
【図１】
0004435993.tif 000002
【図２】
0004435993.tif 000003
【図３】
0004435993.tif 000004
【図４】
0004435993.tif 000005
【図５】
0004435993.tif 000006
【図６】
0004435993.tif 000007
【図７】
0004435993.tif 000008
【図８】
0004435993.tif 000009
【図９】
0004435993.tif 000010
【図１０】
0004435993.tif 000011
【図１１】
0004435993.tif 000012
【図１２】
0004435993.tif 000013
【図１３】
0004435993.tif 000014
【図１４】
0004435993.tif 000015
【図１５】
0004435993.tif 000016
【図１６】
0004435993.tif 000017
【図１７】
0004435993.tif 000018
【図１８】
0004435993.tif 000019
【図１９】
0004435993.tif 000020
【図２０】
0004435993.tif 000021
【図２１】
0004435993.tif 000022
【図２２】
0004435993.tif 000023
【図２３】
0004435993.tif 000024